(57)【要約】【課題】映像音声データのうち一部の所望する映像音声データをユーザが容易にダビングすることができるダビング装置を提供する。【解決手段】リモコン１２の操作により表示装置１４にダビング開始地点およびダビング終了地点からなる組を複数指定できる画面が表示され、リモコン１２の操作によりそれらの組が指定されると、ＨＤＤ８のハードディスクに記録された映像音声データのうち指定された各組が表す各区間の各映像音声データがＤＶＤドライブ９に挿入されたＤＶＤへダビングされる。【選択図】図１
2008310844.tif 000002
【特許請求の範囲】
【請求項１】
表示手段に表示用信号を出力する表示用信号出力手段と、
前記表示用信号出力手段による前記表示手段での表示において操作手段により第一の記録媒体に記録された映像音声データ上の２つの地点からなる組が複数指定された後、前記第一の記録媒体に記録された前記映像音声データのうち前記指定された各組が表す各区間の各映像音声データを前記第一の記録媒体から第二の記録媒体へダビングするダビング手段と、を備えることを特徴とするダビング装置。
【請求項２】
前記操作手段による前記指定の際、前記表示用信号出力手段は、前記第二の記録媒体の残り容量と前記操作手段により選択された録画モードとに基づくダビング可能時間を前記表示手段に表示させ、
前記ダビング手段は、前記選択された録画モードに応じた映像音声圧縮でダビングする  ことを特徴とする請求項１に記載のダビング装置。
【請求項３】
前記操作手段による前記指定の後、前記表示用信号出力手段は、前記指定された各組についての２つの地点間の時間差の合計を前記表示手段に表示させることを特徴とする請求項２に記載のダビング装置。
【請求項４】
前記表示用信号出力手段は、前記指定される各組が１つずつ指定されるたびに、そのとき指定されている各組についての２つの地点間の時間差の合計を前記表示手段に表示させることを特徴とする請求項３に記載のダビング装置。
【発明の詳細な説明】
【技術分野】
【０００１】
本発明は、ダビング装置に関するものである。
【背景技術】
【０００２】
従来から、ハードディスクドライブを搭載した複合型のＤＶＤレコーダが開発されている。このようなＤＶＤレコーダでは、ハードディスクに放送番組の映像音声データや接続された外部機器が出力する映像音声データを記録させ、ハードディスクに記録された映像音声データをＤＶＤにダビングすることができる。
【０００３】
ここで、ユーザがハードディスクに記録された映像音声データのうち必要である一部だけをＤＶＤにダビングしたい場合がある。このような場合、従来のＤＶＤレコーダでは、ユーザ操作に従って、ハードディスクに記録された映像音声データのうち必要である一部を集めた新たな映像音声データをハードディスク上に作成し、その作成された映像音声データをＤＶＤにダビングしていた。
【特許文献１】特開２００７−４２１９７号公報
【発明の開示】
【発明が解決しようとする課題】
【０００４】
しかし、上記従来のＤＶＤレコーダでは、上記のようなダビングの際、新たな映像音声データをハードディスク上に作成させる面倒な操作がユーザにとって必要であり、ハードディスクの容量も消費してしまうといった問題点があった。
【０００５】
なお、特許文献１には、ハードディスクからＤＶＤへのダビングの前に、ハードディスクから再生された所定時間分の映像データをユーザが設定した記録ビットレートで圧縮して再生し、ユーザがダビング前に予めダビング後の映像の画質を確認でき、ダビングの失敗を回避できるとしたＤＶＤレコーダが開示されているが、上記問題点を解決するものではなかった。
【０００６】
そこで、本発明は、映像音声データのうち一部の所望する映像音声データをユーザが容易にダビングすることができるダビング装置を提供することを目的とする。
【課題を解決するための手段】
【０００７】
上記目的を達成するために本発明のダビング装置は、表示手段に表示用信号を出力する表示用信号出力手段と、
前記表示用信号出力手段による前記表示手段での表示において操作手段により第一の記録媒体に記録された映像音声データ上の２つの地点からなる組が複数指定された後、前記第一の記録媒体に記録された前記映像音声データのうち前記指定された各組が表す各区間の各映像音声データを前記第一の記録媒体から第二の記録媒体へダビングするダビング手段と、を備える構成としている。
【０００８】
このような構成によれば、ユーザは容易に第一の記録媒体に記録された映像音声データのうち一部の所望する映像音声データを第二の記録媒体にダビングすることができる。また、ダビングの際に第一の記録媒体の残り容量を消費する必要もない。
【０００９】
また、上記構成において、前記操作手段による前記指定の際、前記表示用信号出力手段は、前記第二の記録媒体の残り容量と前記操作手段により選択された録画モードとに基づくダビング可能時間を前記表示手段に表示させ、
前記ダビング手段は、前記選択された録画モードに応じた映像音声圧縮でダビングする構成としてもよい。
【００１０】
このような構成によれば、ユーザはダビング合計時間がダビング可能時間となるよう各地点を指定することができ、第二の記録媒体の残り容量一杯にダビングすることができ容量を有効利用できる。
【００１１】
また、上記構成において、前記操作手段による前記指定の後、前記表示用信号出力手段は、前記指定された各組についての２つの地点間の時間差の合計を前記表示手段に表示させる構成としてもよい。
【００１２】
このような構成によれば、ユーザは指定によるダビング合計時間がダビング可能時間となっていることを確認することができる。
【００１３】
また、上記構成において、前記表示用信号出力手段は、前記指定される各組が１つずつ指定されるたびに、そのとき指定されている各組についての２つの地点間の時間差の合計を前記表示手段に表示させる構成としてもよい。
【００１４】
このような構成によれば、ユーザは上記時間差の合計を確認することで、ダビング合計時間がダビング可能時間となるよう確実に各地点を指定できる。
【発明の効果】
【００１５】
本発明のダビング装置によれば、映像音声データのうち一部の所望する映像音声データをユーザが容易にダビングすることができる。
【発明を実施するための最良の形態】
【００１６】
以下、本発明の実施形態について図面を参照しながら説明する。
【００１７】
図１に、本発明に係る複合型ＤＶＤレコーダの概略構成図を示す。本発明に係る複合型ＤＶＤレコーダは、チューナ２と、映像音声圧縮伸長部３と、外部Ｉ／Ｆ４と、ＯＳＤ（Ｏｎ  Ｓｃｒｅｅｎ  Ｄｉｓｐｌａｙ）部５と、映像出力部６と、音声出力部７と、ＨＤＤ（ハードディスクドライブ）８と、ＤＶＤドライブ９と、制御部１０と、リモコン受信部１１とを備えている。また、チューナ２にはアンテナ１が接続され、外部Ｉ／Ｆ４にはビデオカメラ等の外部装置１３が接続され、映像出力部６および音声出力部７にはテレビ等の表示装置１４が接続される。
【００１８】
アンテナ１は放送電波を受信して放送信号に変換してチューナ２に出力する。チューナ２は、アンテナ１からの放送信号から所望の放送信号を抽出し、抽出された放送信号から映像音声信号を取り出してデジタル化し、デジタル化された映像音声信号を映像音声圧縮伸長部３に出力する。また、外部Ｉ／Ｆ４は、外部装置１３から入力される映像音声信号をデジタル化し、デジタル化された映像音声信号を映像音声圧縮伸長部３に出力する。
【００１９】
映像音声圧縮伸長部３は、チューナ２や外部Ｉ／Ｆ４から入力された映像音声信号を圧縮し、圧縮された映像音声信号をＨＤＤ８やＤＶＤドライブ９に出力する。ＨＤＤ８は、ハードディスクを内蔵し、映像音声圧縮伸長部３からの映像音声信号をハードディスクに記録させる。また、ＤＶＤドライブ９は、映像音声圧縮伸長部３からの映像音声信号をＤＶＤに記録させる。これにより、ハードディスクやＤＶＤに放送番組の映像音声や外部装置が出力する映像音声が記録される。
【００２０】
また、ＨＤＤ８がハードディスクから映像音声信号を再生し、再生された映像音声信号が映像音声圧縮伸長部３で伸長された後再び圧縮されＤＶＤドライブ９に出力され、ＤＶＤドライブ９が圧縮された映像音声信号をＤＶＤに記録させることにより、ダビングが行われる。
【００２１】
また、ＨＤＤ８やＤＶＤドライブ９が再生した映像音声信号を映像音声圧縮伸長部３が伸長し、伸長された映像信号をＯＳＤ部５を介して映像出力部６に出力し、伸長された音声信号を音声出力部７に出力する。そして、映像出力部６は、入力される映像信号をアナログ化し表示装置１４に出力し、音声出力部７は、入力される音声信号をアナログ化し表示装置１４に出力し、表示装置１４において再生映像が表示され再生音声が発せられる。
【００２２】
また、ＯＳＤ部５は、ＯＳＤ映像信号を生成して映像出力部６に出力し、映像出力部６が入力されるＯＳＤ映像信号をアナログ化し表示装置１４に出力し、表示装置１４においてＯＳＤ画面が表示される。
【００２３】
また、リモコン受信部１１は、リモコン１２から赤外線信号を受信しリモコンコードに変換し、リモコンコードを制御部１０に出力する。
【００２４】
次に、以上のような構成の本発明に係る複合型ＤＶＤレコーダにおけるダビング動作に関して説明する。
【００２５】
ここで、ＨＤＤ８のハードディスクに予め複数の映像音声データおよびそれらに対応する録画日時が記録されているとする。
【００２６】
リモコン１２においてタイトル一覧表示操作がされると、ＯＳＤ部５が生成するＯＳＤ映像信号により、ハードディスクに記録された各映像音声データの各サムネイルおよびハードディスクに記録された各録画日時が表示装置１４に例えば図２のように表示される。
【００２７】
ここで、いずれかのサムネイルがリモコン１２の操作により選択されると、例えば図３のように選択メニューが表示される。選択メニューは、「再生」「タイトル消去」「シーン削除」「チャプター編集」「ダビング」といった項目を含む。
【００２８】
このうち「ダビング」がリモコン１２の操作により選択されると、ＯＳＤ部５が生成するＯＳＤ映像信号により、図４のような録画モード設定画面が表示装置１４に表示される。ここで、「ＸＰ」「ＳＰ」「ＬＰ」「ＥＰ」は録画モードを表し、この順で記録ビットレートが高く高画質・高音質となる。
【００２９】
ここで、いずれかの録画モードがリモコン１２の操作により選択されると、ＯＳＤ部５が生成するＯＳＤ映像信号により、例えば図５のようなダビング区間設定画面が表示装置１４に表示される。ここでは、ダビング開始地点入力用スペースとダビング終了地点入力用スペースとの組が３段で表示され、「ＯＫ」と書かれたボタンがリモコン１２の操作による選択不可能に暗めに表示される。また、画面の下方にはＤＶＤドライブ９に挿入されているＤＶＤの残り容量と上記で選択された録画モードとに基づくダビング可能時間が表示される（図５の例では６０分）。
【００３０】
ここで、ダビング開始地点入力用スペースとダビング終了地点入力用スペースとの組にリモコン１２の操作によりダビング開始地点およびダビング終了地点が入力されるたびに、入力されたダビング開始地点とダビング終了地点との時間差の合計がダビング合計時間として表示され、ダビング合計時間がダビング可能時間以下である場合は「ＯＫ」と書かれたボタンがリモコン１２の操作による選択可能に明るめに表示される。そして、明るめに表示された「ＯＫ」と書かれたボタンがリモコン１２の操作により選択されると、上記タイトル一覧で選択されたサムネイルの映像音声データのうち、入力されたダビング開始地点と入力されたダビング終了地点との各組が表す各区間の各映像音声データをＨＤＤ８が順次ハードディスクから再生し、再生された映像音声データは映像音声圧縮伸長部３で伸長された後、上記選択された録画モードに応じて圧縮され、圧縮された映像音声データをＤＶＤドライブ９がＤＶＤに記録させる。これにより、ダビングが完了となる。
【００３１】
また、上記でダビング合計時間がダビング可能時間を超える場合は「ＯＫ」と書かれたボタンがリモコン１２の操作による選択不可能に暗めに表示される。これにより、ダビング開始が不可能となる。
【００３２】
例えば、図５の表示において、１段目のダビング開始地点入力用スペースとダビング終了地点入力用スペースとの組にダビング開始地点として１５分、ダビング終了地点として２５分が入力されると、図６（ａ）のように、ダビング合計時間として１０分が表示され、ダビング合計時間がダビング可能時間の６０分以下であるから「ＯＫ」と書かれたボタンがリモコン１２の操作による選択可能に明るめに表示される。
【００３３】
それから、２段目のダビング開始地点入力用スペースとダビング終了地点入力用スペースとの組にダビング開始地点として３０分、ダビング終了地点として６０分が入力されると、図６（ｂ）のように、ダビング合計時間として４０分（＝１０分＋３０分）が表示され、ダビング合計時間がダビング可能時間の６０分以下であるから「ＯＫ」と書かれたボタンがリモコン１２の操作による選択可能に明るめに表示される。
【００３４】
それから、３段目のダビング開始地点入力用スペースとダビング終了地点入力用スペースとの組にダビング開始地点として７０分、ダビング終了地点として９０分が入力されると、図６（ｃ）のように、ダビング合計時間として６０分（＝１０分＋３０分＋２０分）が表示され、ダビング合計時間がダビング可能時間の６０分以下であるから「ＯＫ」と書かれたボタンがリモコン１２の操作による選択可能に明るめに表示される。
【００３５】
ここで、明るめに表示された「ＯＫ」と書かれたボタンがリモコン１２の操作により選択されると、１５分〜２５分、３０分〜６０分、７０分〜９０分の各区間の各映像音声データがハードディスクからＤＶＤにダビングされる。
【００３６】
また、上記図６（ｂ）の表示において、３段目のダビング開始地点入力用スペースとダビング終了地点入力用スペースとの組にダビング開始地点として７０分、ダビング終了地点として１１０分が入力されると、図７のように、ダビング合計時間として８０分（＝１０分＋３０分＋４０分）が表示され、ダビング合計時間がダビング可能時間の６０分を超えるから「ＯＫ」と書かれたボタンがリモコン１２の操作による選択不可能に暗めに表示される。これにより、ダビング開始が不可能となる。
【００３７】
このように本実施形態によれば、ユーザは面倒な操作なしに容易に映像音声データのうち一部の所望する映像音声データをハードディスクからＤＶＤにダビングすることができる。このとき、ハードディスクの容量を消費してしまうこともない。
【００３８】
また、ダビング開始地点およびダビング終了地点を指定する際にダビング可能時間が表示されるので、ユーザはダビング可能時間を見てダビング合計時間がダビング可能時間になるようダビング開始地点およびダビング終了地点を指定でき、ＤＶＤの残り容量一杯にダビングでき、容量を有効に使用できる。
【００３９】
また、一組のダビング開始地点およびダビング終了地点を指定するたびにダビング合計時間が表示されるので、ダビング合計時間をダビング可能時間になるよう確実にダビング開始地点およびダビング終了地点を指定できる。
【００４０】
なお、本発明は、本実施形態に限らず、ハードディスクやＤＶＤからビデオテープへのダビング可能な装置、ＤＶＤ同士のダビングが可能な装置等にも適用可能である。
【図面の簡単な説明】
【００４１】
【図１】は、本発明に係る複合型ＤＶＤレコーダの概略構成図である。
【図２】は、タイトル一覧表示の例を示す図である。
【図３】は、選択メニュー表示の例を示す図である。
【図４】は、録画モード設定画面の例を示す図である。
【図５】は、ダビング区間設定画面の初期画面の例を示す図である。
【図６】は、ダビング区間設定画面におけるダビング区間指定の例を示す図である。
【図７】は、ダビング区間設定画面におけるダビング区間指定の例を示す図である。
【符号の説明】
【００４２】
１    アンテナ
２    チューナ
３    映像音声圧縮伸長部
４    外部Ｉ／Ｆ
５    ＯＳＤ部
６    映像出力部
７    音声出力部
８    ＨＤＤ
９    ＤＶＤドライブ
１０    制御部
１１    リモコン受信部
１２    リモコン
１３    外部装置
１４    表示装置
【図１】
2008310844.tif 000003
【図４】
2008310844.tif 000004
【図６】
2008310844.tif 000005
【図２】
2008310844.tif 000006
【図３】
2008310844.tif 000007
【図５】
2008310844.tif 000008
【図７】
2008310844.tif 000009